(57)【要約】 【課題】写真及び文字を彫刻した小プレートを綴じてアルバムの機能を持たせたアクセサリーを提供する。【解決手段】ミニチュア化したアルバムを備えたアクセサリーにおいて、アルバムが綴じ具２で綴じられた複数枚の小プレート１ａ〜１ｂからなるとともに、各小プレート１ａ〜１ｂに写真や文字が彫刻され、小プレート１ａ〜１ｂの隅に小プレート１ａ〜１ｂどうしの表面に隙間を形成する突起７を設けたアクセサリー。【選択図】図２
2007097972.tif 000002
【特許請求の範囲】
【請求項１】
ミニチュア化したアルバムを備えたアクセサリーにおいて、前記アルバムが綴じ具で綴じられた複数枚の小プレートからなるとともに、各小プレートに写真や文字が彫刻され、小プレートの隅に小プレートどうしの表面に隙間を形成する突起を設けたことを特徴とするアクセサリー。
【請求項２】
綴じ具が小プレートの綴じ孔から着脱可能な綴じ具であることを特徴とする請求項１記載のアクセサリー。
【請求項３】
小プレートを閉じた状態に保持する小プレート閉じ具を設けたことを特徴とする請求項１又は２記載のアクセサリー。
【発明の詳細な説明】
【技術分野】
【０００１】
本発明は、複数枚の小プレートからなるとともに、各小プレートに文字や写真を彫刻してアルバムの機能を持たせたアクセサリーに関するものである。
【背景技術】
【０００２】
ネックレス、キーホルダー、携帯電話、バッグなど身に付けるものに装着するアクセサリーとして、メダルやキャラクタグッズなどを鎖で下げたアクセサリーが知られている。たとえは、アクセサリーの貴金属製小プレートやメダルに贈り主および贈り先、結婚などの記念日の文字を彫刻したアクセサリー品が知られている（特許文献１参照）。また、ネックレスなどの装身具に好みに応じたサイン、写真、図形などを、レーザ加工などにより彫刻することが知られている（特許文献２参照）。
【０００３】
これらのアクセサリーでは、小プレートやメダルに刻まれた文字や写真を見ることにより、贈り主や記念日あるいはこれらに関連したことをいろいろと思い出すことができる。
【特許文献１】特開平８−１７３２２１号公報
【特許文献２】特公昭５２−５５０９８号公報
【発明の開示】
【発明が解決しようとする課題】
【０００４】
しかしながら、前述の従来のアクセサリーは、ある特定の記念日などに関する文字や写真が一枚の小プレートやメダルに刻まれるだけなので、アクセサリーを身につけている人は文字や写真を見ても、思い出はその人に起こったある特定されたひとつの事柄に限られてしまいがちである。
【０００５】
そこで、本発明は、写真及び文字を彫刻した小プレートを綴じてアルバムの機能を持たせたアクセサリーを提供するものである。
【課題を解決するための手段】
【０００６】
本発明のアクセサリーは、ミニチュア化したアルバムを備えたアクセサリーにおいて、前記アルバムが綴じ具で綴じられた複数枚の小プレートからなるとともに、各小プレートに写真や文字が彫刻され、小プレートの隅に小プレートどうしの表面に隙間を形成する突起を設けたことを特徴とする。
【０００７】
小プレートどうしが接して刻まれた写真や文字がすり減って消えないようにするため、小プレートの隅に突起を設けることにより、小プレート間に隙間ができるようにする。
【０００８】
小プレートには、プラチナや金などの貴金属、貴金属以外のチタンやステンレス鋼などの金属、プラスチックなど小プレートに加工できる材質ものを用いることができる。  
【０００９】
写真や文字の彫刻は、公知の彫刻装置で彫刻することができ、例えば、写真をスキャナーで取り込み、画像処理してレーザマーキングにより鮮明な彫刻ができる。
【００１０】
アクセサリーを装着している際に、小プレートが開かないように小プレートを閉じた状態に保持する小プレート閉じ具を設けてもよい。
【００１１】
本発明のアクセサリーは、ネックレス、キーホルダー、携帯電話のストラップ、バックなどに下げることができる。
【発明の効果】
【００１２】
本発明のアクセサリーは、写真及び文字を彫刻した複数枚の小プレートを綴じることができるので、多くの事柄を想起、連想させるアルバムの機能を持たせることができる。写真や直筆のメッセージを単に身につけておくことは難しいので、それを貴金属のプレートに直刻することにより簡単に身に付けられる。
【００１３】
人は生まれてからいくつもの記念日に出会い、それらをその人の人生の一コマ一コマについて写真や自筆の文字を複数のプレートに彫刻し、これを身につけることにより、限りある人生においてその人の歴史を残すことに喜びや満足感を得ることができ、人生の思い出を多く記録したその人だけのオリジナルなアクセサリーが得られる。
【００１４】
また、小プレートの隅に突起を設けることにより、小プレートどうしの表面が接して彫刻された写真や文字がすり減って消えないようにして長く保存することができる。
【発明を実施するための最良の形態】
【００１５】
図１は本発明のアクセサリーの一実施例を示す図、図２（ａ）は小プレートの正面図、（ｂ）は小プレートを綴じた状態を示す斜視図である。
【００１６】
図１において、複数枚の貴金属からなる矩形の小プレート１ａ〜１ｃを綴じリング２により綴じたアクセサリー１をネックレス３に鎖４を介して連結して下げ飾り（チャーム）としたものである。アクセサリー１を、ネックレス、キーホルダー、携帯電話、バッグなどに装着する手段としては、鎖の他に開閉できるリング、サルカン、あるいは鎖４を介することなく綴じリング２とネックレス３を直接連結してもよい。
【００１７】
図２において、小プレート１ａ〜１ｃには、写真５ａや文字５ｂを公知の彫刻装置で彫刻する。小プレート１ａ〜１ｃの大きさは、例えば、縦約２．５ｃｍ、横約１．５ｃｍ程度にする。
【００１８】
小プレートには、目的や好みに応じて各種の写真５ａや文字５ｂをレーザマーキングなどにより彫刻する。彫刻する写真５ａや文字５ｂは、例えば、アクセサリーを付ける人のこれまでの履歴を記録するため、１枚目の小プレート１ａの表面にアクセサリーを付ける人の名前、写真、表題などを彫刻し、裏面に赤ちゃんの時の写真や誕生日の文字を彫刻する。２枚目以降の小プレートには、結婚、子供の誕生写真５ａなど選び、これらに関連する言葉などの自筆の文字５ｂを彫刻する。
【００１９】
小プレート１ａ〜１ｃには、複数の綴じ孔６が等間隔で設けられる。綴じリング２を綴じ孔６に通して複数の小プレート１ａ〜１ｃを綴じる。綴じリング２を外して新たに小プレートを重ね、再度綴じリング２で綴じることによりアルバムのように小プレートの枚数を増やしていくことができる。閉じ具は、閉じリング２に限定されるものではなく、等間隔に設けられた綴じ孔６に通すことができる弾力性のあるらせん状スプリングなどの綴じ具などを利用してもよい。
【００２０】
各小プレート１ａ〜１ｃの綴じ孔６が形成されている側と反対側の隅の上下には突起７を設ける。突起７により綴じた小プレート１ａ〜１ｃの見開面を閉じた時に、隙間が形成されるようにして見開面どうしが接して彫刻された写真５ａや文字５ｂがすり減って消えないようにする。突起７は、図に示すようにビス７ａをねじ込んで形成する。なお、突起は、ビスのねじ込みに限らず、プレスで突起を形成したり、板の隅を曲げたり、ろう付けにより突起を接着したりするなどして見開面に隙間が形成されるようにすることができる。
【００２１】
なお、装着している際に、小プレートが開かないように閉じた状態に維持するために、小プレート閉じ具８として、例えば、小プレートを挟むため、回転により着脱自在のクリップを綴じ孔６に設けてもよい。
【図面の簡単な説明】
【００２２】
【図１】本発明のアクセサリーの一実施例を示す図である。
【図２】（ａ）は小プレートの正面図、（ｂ）は小プレートを綴じた状態を示す斜視図である。
【符号の説明】
【００２３】
１：アクセサリー
１ａ〜１ｃ：小プレート
２：綴じリング
３：ネックレス
４：鎖
５ａ：写真
５ｂ：文字
６：綴じ孔
７：突起
７ａ：ビス
８：小プレート閉じ具
【図１】
2007097972.tif 000003
【図２】
2007097972.tif 000004